(57)【要約】【課題】台座３１をスライドさせる第１のスライド機構４１ａ，４１ｂを持つ昇降装置において、第１のスライド機構４１ａ，４１ｂにかかる荷重負荷を分散させる昇降装置を提供する。【解決手段】天井裏に荷物を搬入するため、又はそこから荷物を搬出するための昇降装置において、天井の開口部に設けられる梯子１と、荷物を載せるための台座３１を有しかつ梯子１に沿って移動可能な荷置き台２と、荷置き台２を梯子１に沿って移動させる駆動手段と、梯子１の上端部において台座３１を水平方向または略水平方向に移動させる第１のスライド機構４１ａ，４１ｂとを備え、台座３１にかかる荷重負荷を支持させる支持手段を備える。【選択図】        図５
2004300738.tif 000002
【特許請求の範囲】
【請求項１】
天井裏に荷物を搬入するため、又はそこから荷物を搬出するための昇降装置において、天井の開口部に設けられる梯子と、荷物を載せるための台座を有しかつ前記梯子に沿って移動可能な荷置き台と、前記荷置き台を前記梯子に沿って移動させる駆動手段と、前記台座を水平方向または略水平方向に移動可能な第１のスライド機構とを備え、前記台座にかかる荷重負荷を支持する支持手段を備えることを特徴とする昇降装置。
【請求項２】
前記支持手段は、アームの一端が前記荷置き台の下側に回転可能に取り付けられ、前記台座に前記アームの他端が前記台座の移動に伴って揺動するように連結されて構成されていることを特徴とする請求項１に記載の昇降装置。
【請求項３】
前記アームの他端と前記台座の下面とは第２のスライド機構によって連結され、前記第２のスライド機構は前記アームの他端に形成され、その軸方向に延びる長孔と前記台座に取り付けられたピンによって構成されていることを特徴とする請求項２に記載の昇降装置。
【発明の詳細な説明】
【０００１】
【発明の属する技術分野】
本発明は、天井裏に設けられた収納スペースに荷物等を運び入れ、又はそこから運び出すための昇降装置に係わる。
【０００２】
【従来の技術】
従来から、天井裏（又は、小屋裏）に収納スペースを設けた住宅が知られている。この場合、通常、荷物を搬入／搬出するための開口部が天井に設けられている。そして、荷物を搬入／搬出する際には、例えば、その開口部に梯子をかけ、人が荷物を抱えてその梯子を登り降りするようなケースが多かった。
【０００３】
しかし、このような作業は、一般にかなりの労力が必要である。例えば、特許文献１には、以下のような昇降装置が記載されている。
【０００４】
（１）天井の開口部に梯子が設置されている
（２）その梯子に沿ってレールが取り付けられている
（３）そのレールに沿って移動可能な荷置き台を備える
（４）モータ等を用いて上記荷置き台をレールの沿って昇降させる
（５）台座を梯子から離れた位置にスライドさせる
【０００５】
【特許文献１】
特開２００２−４６９５９
【０００６】
【発明が解決しようとする課題】
上述のような昇降装置を利用すれば、天井裏の収納スペースに荷物を搬入／搬出する作業が大幅に軽減されるが、以下の問題が残っている。
【０００７】
すなわち、上述のような昇降装置では、台座をスライドさせるスライド機構を有している。すなわち、荷置き台から荷物を取り上げる際、または、荷置き台に荷物を載せる際、作業者が作業しやすい位置に台座を梯子から離れた位置に移動させることができる。このような構造のため、台座にかかる荷重負荷をスライド機構のみで支持している。作業者が特に意識をせずに台座に荷物を載せてしまうと、その荷物重量が大きすぎて、スライド機構にかかる荷重負荷によりスライド機構を破損してしまう恐れがある。
【０００８】
そこで、本発明の課題は、このようなスライド機構を持つ昇降装置において、スライド機構にかかる荷重負荷を分散させる昇降装置を提供することである。
【０００９】
【課題を解決するための手段】
上記の課題を解決するため、請求項１に記載の発明においては、天井裏に荷物を搬入するため、又はそこから荷物を搬出するための昇降装置において、天井の開口部に設けられる梯子と、荷物を載せるための台座を有しかつ前記梯子に沿って移動可能な荷置き台と、前記荷置き台を前記梯子に沿って移動させる駆動手段と、前記梯子の上端部において前記台座を水平方向または略水平方向に移動させる第１のスライド機構とを備え、前記台座にかかる荷重負荷を支持させる支持手段を備える。
【００１０】
この発明によれば、台座にかかる荷重負荷を第１のスライド機構に加えて支持手段が支持するため、第１のスライド機構にかかる荷重負荷を支持手段がない場合に比較して低減することができる。即ち、第１のスライド機構にかかる荷重負荷を分散させることができる。
請求項２に記載の発明では、請求項１に記載の発明において、前記支持手段は、アームの一端が荷置き台の下側に回転可能に取り付けられ、前記台座に前記アームの他端が前記台座の移動に伴って揺動するように連結されて構成されている。この発明によれば、台座の移動に伴ってアームが揺動するため、台座が梯子から離れた位置に移動する際、台座にかかる荷重負荷を指示手段により支持することができる。
請求項３に記載の発明では、請求項２に記載の発明において、前記アームの他端と前記台座の下面とは第２のスライド機構によって連結されている。前記第２のスライド機構は前記アームの他端に形成され、その軸方向に延びる長孔と前記台座に取り付けられたピンによって構成されている。
この発明によれば、簡単な構成により前記台座が水平方向又は略水平方向に移動可能になる。
【００１１】
【発明の実施の形態】
以下、本発明の実施の形態について図面を参照しながら説明する。
【００１２】
図１は、本発明の天井収納用昇降装置の一実施形態の全体構成図である。この昇降装置は、基本的に、住宅の天井裏（または、小屋裏）に荷物を搬入する際、または天井裏から荷物を搬出する際に利用される。
【００１３】
梯子１は、天井床１１の開口部から部屋床１２にまで伸びるように天井床１１に取り付けられている。そして、この梯子１には、特に図示しないが、その長手方向に沿って荷置き台２を移動させるためのガイドレールが設けられている。なお、梯子１は、伸縮自在または折畳み自在である。
【００１４】
荷置き台２は、天井裏に搬入すべき荷物または天井裏から搬出すべき荷物を載せるための部材であり、梯子１に沿って移動することができる。駆動手段であるモータ３は、不図示の鎖またはロープ等を介して荷置き台２に接続されており、スイッチ１３を利用して作業者により与えられる指示に従って、荷置き台２を上昇または下降させる。すなわち、作業者は、荷置き台２を所望の高さ位置に移動させることができる。
【００１５】
なお、上記構成の昇降装置は、使用しないときは、図２に示すように、天井裏に収納される。
【００１６】
図３は、昇降装置の荷置き台のスライド動作を説明する図である。昇降装置の荷置き台２は、基本的には、図１を参照しながら説明したように、作業者の指示に従って梯子１に沿って上下方向に移動する。ただし、荷置き台２は、梯子１の上端部に位置するときは、横方法（すなわち、水平方向あるいは略水平方向）に移動することができる。具体的には、荷置き台２は、モータ３により引き上げられ、図３（ａ）に示すように天井床１１の開口部を通過して梯子１の上端部に到達すると、図３（ｂ）に示すように天井床１１と平行に横方向にスライドすることができる。そして、このスライド動作により、荷置き台２は、天井床１１の上面（開口部が形成されていない位置）に移動することができる。
図４は、本実施形態の昇降装置の構成を示す図である。ここでは、昇降装置の側方から見ている。荷置き台２は、リフトブラケット２１および台座３１を備える。リフトブラケット２１は、梯子１に設けられている不図示のガイドレールに沿って移動可能な機構を有する。また、リフトブラケット２１は、不図示の鎖またはロープを介してモータ３に接続されている。したがって、このリフトブラケット２１は、モータ３を駆動することにより、梯子１に沿って移動することができる。ここで、リフトブラケット２１の移動方向は、図４の紙面上において上下方向である。
第１のスライド機構４１ａおよび４１ｂは、例えば、それぞれ、リフトブラケット２１に取り付けられているレールおよび台座３１に取り付けられているスロットから構成される。ここで、これらのレールおよびスロットは、既存の技術により、互いに滑らかにスライドできる構成となっている。
【００１７】
図５は、本実施形態の支持手段を説明する図である。ここでは、荷置き台２を底面側から見ている。本実施形態の支持手段は、アーム５と、回転軸６と、第２のスライド機構７とから構成される。図５（ａ）に示すように、リフトブラケット２１の下端、スライド方向側（図５（ａ）における右側）に、さらに、好ましくはリフトブラケット２１の下端、スライド方向側（図５（ａ）における右側）の端部に、回転軸６が取り付けられており、回転軸６にはアーム５が回転自在にかつアーム５の一端で取り付けられている。アーム５の他端には第２のスライド機構７がアーム５の長手方向にスライド可能に設けられている。第２のスライド機構７は、例えば、それぞれ、アーム５の他端に設けられている長孔７ａおよび台座３１の下面中央部に取り付けられているピンとしてのスライドピン７ｂから構成される。ここで、これらの長孔７ａおよびスライドピン７ｂは、既存の技術により、互いに滑らかにスライドできる構成となっている。
【００１８】
図５（ｂ）に示すように、本実施形態の支持手段の構成において、台座３１が水平方向あるいは略水平方向（図５（ｂ）の右方向）に移動するに伴って、スライドピン７ｂが長孔７ａの長手方向に沿ってスライドしながら、アーム５が回転軸６を中心に回転する。リフトブラケット２１と台座３１とが第２のスライド機構７及びアーム５を介して連結しているため、台座３１はリフトブラケット２１に対して第２のスライド機構７及びアーム５を介して支持されている。台座３１にかかる荷重負荷を、第１のスライド機構だけでなく揺動するアーム５により支持することができる。よって第１のスライド機構４１ａおよび４１ｂにかかる荷重負荷を分散可能となり、昇降装置の耐用荷重をアームがない場合に比較して大きくすることができる。
【００１９】
尚、本発明は前記実施の形態の他、以下の様態で実施してもよい。
○本実施形態では、リフトブラケット２１に回転軸６が取り付けられ、台座３１にスライドピン７ｂが取り付けられていたが、台座３１に回転軸６を取り付け、リフトブラケット２１にスライドピン７ｂを取り付けて構成しても良い。
○アーム５は、その他端に長孔７ａが形成されていなくても、伸縮部材で形成されていても良い。具体的にはリフトブラケット２１と台座３１に回転軸を取り付け、それぞれの回転軸に大きさの異なる筒を回転可能に取り付けて、それぞれの筒を差し合わせる。
○本実施形態では、第２のスライド機構７を取り付けたアーム５によって台座３１の移動に伴いアーム５を揺動させていたが、２本のアームにより回転運動を直線運動に変えるクランク機構にしてもよい。具体的にはリフトブラケット２１と台座３１に回転軸を取り付け、それぞれの回転軸にそれぞれのアームを回転可能に取り付けて、それぞれのアームを間軸を介して連結する。
【００２０】
○長孔７ａは長溝であっても良い。
【００２１】
【発明の効果】
本発明によれば、昇降装置における第１のスライド機構にかかる荷重負荷を分散させることができる
【図面の簡単な説明】
【図１】本発明の昇降装置の全体構成を示す斜視図。
【図２】昇降装置が天井裏に収容された状態を示す斜視図。
【図３】昇降装置のスライド動作を説明する斜視図。
【図４】本実施形態の昇降装置の構成を示す側面図。
【図５】本実施形態の荷置き台の底面図。
【符号の説明】
１…  梯子、２…荷置き台、３…  モータ、１１…天井床、２１…  リフトブラケット、３１…台座、４１ａ，４１ｂ…  第１のスライド機構、５…  アーム、６…回転軸、７…  第２のスライド機構、７ａ…長孔、７ｂ…  スライドピン。
【図１】
2004300738.tif 000003
【図２】
2004300738.tif 000004
【図３】
2004300738.tif 000005
【図４】
2004300738.tif 000006
【図５】
2004300738.tif 000007